(57)【要約】  本発明は概して無線通信システム、中継ノード、コントローラノード、ユーザ機器（ユーザ端末）、これらシステムおよびノード用のソフトウェアおよび方法に関する。一実施形態において、無線通信システム用の制御ノードを動作させる方法が提供される。方法は、先行部分と後続部分とを有するデータフレームであって、先行部分が受信ノードを制御するための第１の制御データを有するデータフレームを生成するステップと、第２の制御データを後続部分に含めるかどうかをチェックするステップと、第２の制御データを後続部分に含めるべきでない場合、受信ノード用のペイロードデータを後続部分にスケジュールするステップと、を有する。【選択図】  図１０
2013531406.tif 000002
【特許請求の範囲】
【請求項１】
無線通信システム用のノードを動作させる方法であって、
先行部分と後続部分とを有するデータフレームであって、前記先行部分が受信ノードを制御するための第１の制御データを有するデータフレームを生成するステップと、
前記後続部分に第２の制御データを含めるべきかどうかをチェックするステップと、
第２の制御データを前記後続部分に含めるべきでない場合、前記受信ノード用のペイロードデータを前記後続部分にスケジュールするステップと、
前記受信ノードに前記データフレームを送信するステップと、を有することを特徴とする方法。
【請求項２】
前記受信ノードが中継ノードであることを特徴とする請求項１記載の方法。
【請求項３】
前記第１の制御データがダウンリンク割り当てを有するか、前記第２の制御データがアップリンクグラントを有するかの少なくとも一方であることを特徴とする請求項１または請求項２に記載の方法。
【請求項４】
ペイロードデータが前記第２の部分で送信されるべき場合、前記第１の制御データは前記第１の制御データが送信されるリソースを示すことを特徴とする請求項１から請求項３のいずれか１項に記載の方法。
【請求項５】
前記第１の制御データはペイロードデータが送信されるリソースの表示を有することを特徴とする請求項１から請求項４のいずれか１項に記載の方法。
【請求項６】
前記後続部分が前記先行部分よりも高いスループットで送信されることを特徴とする請求項１から請求項５のいずれか１項に記載の方法。
【請求項７】
前記第１の部分と前記第２の部分との境界が可変であることを特徴とする請求項１から請求項６のいずれか１項に記載の方法。
【請求項８】
無線通信システム用の制御ノードであって、
先行部分と後続部分とを有するデータフレームであって、前記先行部分が受信ノードを制御するための第１の制御データを有するデータフレームを生成するコントローラと、
前記後続部分に第２の制御データを含めるべきかどうかをチェックするチェックエンティティと、
第２の制御データを前記後続部分に含めるべきでない場合、前記中継ノード用のペイロードデータを前記後続部分にスケジュールするスケジューラと、
前記データフレームを前記受信ノードに送信する送信器と、を有することを特徴とする制御ノード。
【請求項９】
前記受信ノードが中継ノードであることを特徴とする請求項８記載の制御ノード。
【請求項１０】
前記送信器が、前記後続部分を前記先行部分よりも高いスループットで送信するように構成されることを特徴とする請求項８または請求項９に記載の制御ノード。
【請求項１１】
前記制御ノードが、eNodeB、ピコeNodeB、または中継ノードであることを特徴とする請求項８から請求項１０のいずれか１項に記載の制御ノード。
【請求項１２】
無線通信システム用の受信ノードを動作させる方法であって、
先行部分と後続部分とを有するデータフレームであって、前記先行部分が前記受信ノードを制御するための第１の制御データを有するデータフレームを制御ノードから受信するステップと、
前記後続部分が第２の制御データとペイロードデータのいずれを含んでいるかを検出するステップと、
前記後続部分を前記決定に応じて処理するステップと、を有することを特徴とする方法。
【請求項１３】
前記受信ノードが中継ノードであることを特徴とする請求項１２記載の方法。
【請求項１４】
前記第１の制御データが、ペイロードデータが受信される少なくとも１つのリソースを示すことを特徴とする請求項１２または請求項１３に記載の方法。
【請求項１５】
ペイロードデータが前記第２の部分で送信されるべき場合、前記第１の制御データは前記第１の制御データが送信されるリソースを示すことを特徴とする請求項１２から請求項１４のいずれか１項に記載の方法。
【請求項１６】
前記第１の制御データが受信されるリソースが、前記第１の制御データによって示されているかどうかをチェックするステップと、
前記チェックに基づいて、前記後続部分が第２の制御データとペイロードデータのどちらを含んでいるかを決定するステップと、をさらに有することを特徴とする請求項１２から請求項１５のいずれか１項に記載の方法。
【請求項１７】
無線通信システム用の受信ノードであって、
先行部分と後続部分とを有するデータフレームであって、前記先行部分が前記受信ノードを制御するための第１の制御データを有するデータフレームを制御ノードから受信する受信器と、
前記後続部分が第２の制御データとペイロードデータのいずれを含んでいるかを検出する検出器と、
前記後続部分を前記決定に応じて処理するプロセッサと、を有することを特徴とする受信ノード。
【請求項１８】
前記第１の制御データが受信されるリソースが、前記第１の制御データによって示されているかどうかをチェックするチェックエンティティと、
前記チェックエンティティの出力に基づいて、前記後続部分が第２の制御データとペイロードデータのどちらを含んでいるかを決定する決定エンティティと、をさらに有することを特徴とする請求項１７に記載の受信ノード。
【請求項１９】
前記受信ノードが中継ノードであることを特徴とする請求項１７または請求項１８に記載の受信ノード。
【発明の詳細な説明】
【技術分野】
【０００１】
本発明は概して無線通信システム、中継ノード、コントローラノード、ユーザ機器（ユーザ端末）、これらシステムおよびノード用のソフトウェアおよび方法に関し、特には中継を含む無線通信システムにおける通信を取り扱う仕組みおよび技術に関する。特に、中継−物理ダウンリンク共用チャネル(R-PDSCH)の案が示される
【背景技術】
【０００２】
LTE (Long Term Evolution)に関して背景技術を説明する。しかし、当業者は、本発明の原理が他の無線通信システム、特にスケジュールされたデータ送信に依存する通信システムに適用されうることに気づくであろう。
【０００３】
LTE (Long Term Evolution)またはE-UTRAN無線アクセスのダウンリンク伝送は、直交周波数無分割多重(OFDM)に基づいている。従って、基本的なLTEダウンリンク物理リソースは、図１に示すような、各リソース要素(RE)が１つのOFDMシンボル区間中に１つのOFDMサブキャリアに対応する時間−周波数グリッドとして見ることができる。暗く示した部分はリソースブロックを形成する。
【０００４】
時間ドメインにおいて、LTEの伝送はフレームおよびサブフレームから構成される。長さTf=10 msの各フレームは、長さTsubframe=1 msの等しいサイズのサブフレーム１０個からなる。各サブフレームは長さTslot=0.5 msのスロット２つからなる。
【０００５】
LTEではリソースブロック(RB)も規定されており、各RBは１スロット期間の１２の隣接したサブキャリアからなる。サブキャリアの間隔はΔf=15 kHzに設定されている。さらに、単一周波数ネットワークにおけるマルチキャスト同報送信を対象とした、7.5 kHzのサブキャリア間隔も規定されている。
【０００６】
一般にリソース要素は、想定する実際の送信システムに応じた、（原則的に時間、周波数、符号および場所である）送信リソースの任意の組み合わせの所定範囲によって規定することができる。
【０００７】
LTE時間領域構成を図２に示す。図２に示すように、１つの無線フレームは#0から#9の１０のサブフレームに分割され、各サブフレームは初めの部分である第１スロットと後ろの部分である第２スロットに分割される。
【０００８】
ユーザ機器(UE)との間のLTEデータ送信はeNBに設けられたスケジューラによって厳密に制御されている。スケジューリングの決定を知らせるため、制御シグナリングはスケジューラからUEに送信される。この制御シグナリングは、１つまたはいくつかのPDCCH（物理ダウンリンク制御チャネル）および他の制御チャネルから構成され、LTEにおける各サブフレームの冒頭に、サブフレーム内の１４の利用可能なOFDMシンボルのうち１〜３個を用いて送信される（通常のCPおよび1.8 MHzより広い帯域についてであり、他の構成では数値が変わりうる）。
【０００９】
eNBからのデータを受信しなければならないことをUEに通知するために用いられるダウンリンクスケジューリング割り当ては、そのデータと同じサブフレームに内に存在する。アップリンクで送信しなければならないことをUEに知らせるために用いられるアップリンクスケジューリンググラントは、実際のアップリンク送信より数サブフレーム先だって発生する。
【００１０】
一般に、制御データはダウンリンク割り当てとアップリンクグラントの少なくとも１つを有するであろう。
【００１１】
データ伝送に必要な情報のうち、とりわけスケジューリング割り当て（およびグラント）は第１スロットでのデータ送信に用いられるリソースブロックの周波数領域位置に関する情報を含んでいる。第２スロットでのリソースブロックの周波数領域位置は、第１スロットの位置から、例えば両スロットで同一の周波数位置を用いることにより取得される。従って、スケジューリング割り当て／グラントは時間領域で１組のリソースブロックに影響する。一例を図３に示す。
【００１２】
図３において、各リソースブロック０から９の斜線でハッチングした部分が制御データを含んでおり、水平線でハッチングした部分はペイロードデータ。サブフレームは第１スロットおよび第２スロットに分割される。制御データは第１スロットの一部である。
【００１３】
中継はLTEアドバンスト用に、例えば高データレート、グループモビリティ、一時的なネットワーク配備、セル境界スループットの改善および／または新たなエリアでのカバレージ提供のためのツールとして検討されている。中継ノード(RN)は無線アクセスネットワークに、例えばドナーeNodeB (eNB)によって制御されるドナーセルを介して無線接続される。RNはRNが制御するUEとの間でデータを送受信し、eNBと同じエアインタフェースを用いることができる。すなわち、UEから見ると、RNが制御するセルとeNBが制御するセルに違いはない。
【００１４】
中継送信器は自身の受信器に対する干渉源となるため、例えば十分に分離(separated)され、かつ十分に離隔(isolated)された特定のアンテナ構成によって、出方向の信号と入方向の信号の十分なアイソレーションが与えられない限り、同一周波数上でeNBからRNへと、RNからUEへの同時送信は実行できないであろう。同様に、中継ノードにおいて、eNBへの中継送信と同時にUE送信を受信することは不可能であろう。
【００１５】
干渉の問題に対処する１つの考えられる方法は、制御ノード、例えばドナーeNodeBからデータを受信することになっている場合には、中継ノードが端末に送信しないように動作すること、すなわち、中継ノード-UE送信に「間隙(gap)」を生成するように動作することである。例えば図４に示すようにMBSFNサブフレームを設定することにより、これらの「間隙」の期間、端末（３ＧＰＰリリース８端末を含む）は中継送信が生成可能であると予期してはならない。MBSFNサブフレームは冒頭に小さな制御シグナリングと、それに続く空白期間を含み、UEは空白期間においてRNからの送信を期待しない。
UEがデータを予期しない、および／またはRNがUEにデータを送信しない期間、フレーム、またはサブフレームの間、RNはデータ、例えばeNBの制御データを受信することができる。
【００１６】
RNからeNBへの送信は、一部のサブフレームにおいて端末から中継ノードへの送信を許可しないスケジューリングを通じて容易にすることができる。
【００１７】
本発明の１目的は、制御ノード（ドナーeNB）、中継ノード、および必要に応じていくつかのUEを有するネットワークシナリオにおいて、制御データおよびペイロードデータを効率よく転送するための方法を提供することである。この方法では、中継ノードの利用に付随する上述の干渉問題が解決されねばならない。
【００１８】
本発明はLTEベースのシステムに特に関連する。ダウンリンク制御シグナリングは、Dahlmann，Parkvall SkoeldおよびBemingによる、”3Gエボリューション：モバイルブロードバンド用のHSPAおよびLTE”，初版，2007の第16.2.4章、第333から336ページに記載されている。また、3GPP LTEリリース10仕様および技術報告3GPP TR 36.814および36.912にも指摘されている。ドナーeNBからのダウンリンクサブフレームにおける中継物理ダウンリンク制御チャネル(R-PDCC)の多重化は、US 61/308,385に記載されている。ここに引用した参照文献／文書は、本明細書に援用する。
【発明の概要】
【００１９】
本発明は主に制御ノード（例えばeNB）と中継ノード(RN)との間の通信に注目している。本発明はまた、制御ノードとUEとの間の通信にも注目している。図７は、スケジューラを有する制御ノード(eNB)と、中継ノード(RN)、第１のユーザ機器(UE1)、および第２のユーザ機器(UE2)を備える無線通信システムを示す。制御ノード、中継ノード、および第１および第２のユーザ機器の各々は、送信器および受信器を有している。制御ノード、中継ノード、およびユーザ機器は無線インタフェースを介して接続されている。矢印は、生じうるアップリンクおよびダウンリンク通信を示している。本発明は制御ノードと中継ノードとの通信に注目している。本発明はまた、制御ノードとUEとの間の通信にも適用可能である。制御ノードから中継ノードへの方向はダウンリンクと見なし、中継ノードから制御ノードへの方向はアップリンクと見なす。
【００２０】
本発明は無線通信システム用の制御ノードを動作させるための方法に関し、前記方法は、先行部分と後続部分とを有するデータフレームであって、前記先行部分は受信ノードを制御するための第１の制御データを含んだデータフレームを生成するステップと、第２の制御データを前記後続部分に含めるべきかどうかをチェックするステップと、第２の制御データを前記後続部分に含めるべきでない場合、前記受信ノード用のペイロードデータを前記後続部分にスケジュールするステップと、前記受信ノードに前記データフレームを送信するステップと、を有することを特徴とする。
【００２１】
前記受信ノードは中継ノードであると有利である。前記受信ノードはUEであってもよい。
【００２２】
前記方法は、第２の制御データを前記後続部分に含めるステップをさらに有してよい。前記第１の制御データは、ダウンリンク割り当てを有してよく、前記第２の制御データはアップリンクグラントを有してよい。
【００２３】
ペイロードデータが前記第２の部分で送信されるべき場合、前記第１の制御データは前記第１の制御データが送信されるリソースを示すことが有利である。
【００２４】
前記ペイロードデータは前記受信ノード用のデータのみであってよい。
【００２５】
前記制御ノードはeNodeBであってよく、さらにピコeNodeBであってよい。
【００２６】
前記第１の制御データはペイロードデータが送信されるリソース上の表示を有することができる。ペイロードデータが前記後続部分で送信されるべき場合、前記第１の制御データが送信されるリソースを示すことが有利である。前記リソースは例えば、周波数帯または一式のサブキャリアであってよい。
【００２７】
前記先行部分と前記後続部分とが異なる送信方法で送信されてよい。前記後続部分は前記先行部分よりも高いスループットで送信されると有利であろう。前記先行部分と前記後続部分とが同じ送信方法で送信されてよい。前記第１の部分と前記第２の部分との境界は可変であってよい。前記境界は前記データフレームの中央に配置されてもよい。前記データフレームはサブフレームと見なされてもよい。
【００２８】
本発明はまた、無線通信システム用の制御ノードであって、先行部分と後続部分とを有するデータフレームであって、前記先行部分は中継ノードを制御するための第１の制御データを含んだデータフレームを生成するためのコントローラと、第２の制御データが前記後続部分に含めるべきかどうかをチェックするステップと、第２の制御データを前記後続部分に含めるべきでない場合、前記中継ノード用のペイロードデータを前記後続部分にスケジュールするスケジューラと、前記中継ノードに前記データフレームを送信する送信器と、を有することを特徴とする。
【００２９】
前記制御ノードは、第２の制御データを前記後続部分に含めるステップをさらに有してよい。
【００３０】
本発明はまた、無線通信システム用の受信ノードを動作させる方法に関し、前記方法は、先行部分と後続部分とを有するデータフレームであって、前記先行部分は前記受信ノードを制御するための第１の制御データを含んだデータフレームを制御ノードから受信するステップと、前記後続部分が第２の制御データとペイロードデータのどちらを含んでいるかを検出するステップと、前記後続部分を前記決定に応じて処理するステップと、を有することを特徴とする。
【００３１】
前記受信ノードは中継ノードであると有利である。前記受信ノードはUEであってもよい。
【００３２】
前記第１の制御データはペイロードデータが受信される少なくとも１つのリソースを示してもよい。
【００３３】
ペイロードデータが前記第２の部分で送信されるべき場合、前記第１の制御データは前記第１の制御データが送信されるリソースを示すことが有利である。
【００３４】
受信ノードを動作させるための方法は、さらに以下のステップを有することができる。前記第１の制御データが受信されるリソースが前記第１の制御データに示されているかどうかをチェックするステップと、後続部分が第２の制御データとペイロードデータのどちらを含んでいるかをチェックにもとづいて決定するステップ。
【００３５】
本発明はまた、無線通信システム用の受信ノードに関し、前記受信ノードは、先行部分と後続部分とを有するデータフレームであって、前記先行部分は前記受信ノードを制御するための第１の制御データを含んだデータフレームを制御ノードから受信する受信器と、前記後続部分が第２の制御データとペイロードデータのどちらを含んでいるかを検出する検出器と、前記後続部分を前記決定に応じて処理するプロセッサと、を有することを特徴とする。
【００３６】
前記受信ノードはさらに、前記第１の制御データが受信されるリソースが前記第１の制御データに示されているかどうかをチェックするステップと、後続部分が第２の制御データとペイロードデータのどちらを含んでいるかをチェックにもとづいて決定するステップを有してもよい。
【００３７】
前記受信ノードは中継ノードであると有利である。前記受信ノードはUEであってもよい。
【００３８】
本発明はLTEシステムに有利に適用される。この点において、3GPP LTEリリース10仕様と、技術報告3GPP TR 36.814および36.912を参照されたい。
【００３９】
本発明の重要な見地は、アップリンクに用いられないリソースに、先行するスロットにダウンリンク割り当てを有する中継ノードへのデータのみをスケジュール可能にすることである。さらに、本発明は、RNでのDL割り当ての解釈において、そのRNのための第２の領域におけるRーPDCCHが存在するか田舎を考慮するため、さらなるDCIフォーマットを仕様を必要としない。
【００４０】
本発明のさらなる実施形態は、従属請求項においてさらに規定されている。
【図面の簡単な説明】
【００４１】
【図１】LTEで用いられるような時間周波数グリッド内の物理リソースを示す図である。
【図２】LTE時間領域構造を示す図である。
【図３】UEがデータを受信しなければならないリソースブロックを示すスケジュール決定の例を示す図である。
【図４】フレーム構造に基づく、eNBからRNへの送信およびRNからUEへの送信の例を示す図である。
【図５】3GPP RAN1に従ったR-PDCCH多重を示す図である。
【図６】ULグラントよりもDL割り当てを多く有する場合を示す図である。
【図７】無線通信システムを示す図である。
【図８】eNBからRNへの送信用の第２スロットの使用法を示す図である。
【図９】提案するリソース表示の例を示す図である。
【図１０】一実施形態に従って制御ノードを動作させる方法のフローチャートを示す。
【図１１】一実施形態に係る制御ノードを示す図である。
【図１２】一実施形態に従って受信ノードを動作させる方法のフローチャートを示している。
【図１３】一実施形態に係る受信ノードを示す図である。
【発明を実施するための形態】
【００４２】
多くの応用において、eNBに制御されるセルと、RNに制御されるセルとでは、時間を揃える（場合によっては若干のオフセットの範囲内とする）ことが望ましい。その結果として、サブフレームの冒頭でRNは制御シグナリングをUEへ送信する必要があるため、フレームの冒頭でRNはRNからの制御シグナリングを受信することができない。その代わりに、eNBからRNへのL1/L2制御シグナリングをサブフレームの後続部分に配置する必要がある。
【００４３】
従って、LTEアドバンストは、サブフレームの後続部分に送信される新たな制御チャネルであるR-PDCCH（中継物理ダウンリンク制御チャネル）をサポートするであろう。R-PDCCHは、PDCCHと同様に、アップリンクグラントまたはダウンリンク割り当てを搬送する。複数のR-PDCCH（および場合によっては中継動作用に規定された他の制御チャネル）を送信することができ、それらが送信される時間-周波数領域を本明細書では「R-PDCCH領域」と呼ぶ。R-PDCCH領域は通常、サブフレームの間システムの全帯域を占有せず、残りのリソースはUEおよび／またはRNへのデータ送信に使用できる。
【００４４】
ドナーeNBからのダウンリンクサブフレームにおいて、R-PDCCHを様々な方法、例えば純粋なFDMまたはFDM+TDMによって他の送信と多重化することができるが、どの方法にも長所と短所がある。
【００４５】
これらのオプションはUS61/308,385の、「R-PSCCH多重化」に記載されており、その内容を本明細書に援用する。
【００４６】
3GPPによって選択されるオプションも同様に考慮する。3GPPにおいては、RNとeNBとの間の通信に用いられるサブフレームを２つの部分に分割する（その境界は例えばスロット境界と一致していてよい）ことが前提になっている。
【００４７】
サブフレームの初めに位置する第１の部分で、時間に厳密な情報、典型的には同じサブフレーム内でのダウンリンク送信に関する情報（例えばスケジューリング割り当て）を含んだR-PDCCHが送信される。サブフレーム内の後ろ側に位置する第２の部分で、時間にあまり厳密でない情報、典型的にはその後のサブフレームにおけるアップリンク活動に関する情報（例えばスケジューリング割り当て）を含んだR-PDCCHが送信される。
【００４８】
これを図５に示す。システム帯域は垂直方向に、１サブフレームのタイムスパンは水平方向にそれぞれ図示されている。サブフレームはスロット境界で分割される。垂直方向の範囲は、システム帯域の所定の周波数帯を規定している。水平方向の範囲は、サブフレーム内の所定の時間期間を規定している。図５に示すように、UE用の制御データ、中継ノード#kおよび#iへのデータ、中継ノード#i, #j, #k用のDL割り当て、中継ノード#x, #y, #z用のアップリンクグラント、およびUEへのデータが、サブフレーム内の指定された周波数範囲で、かつ指定されたタイムスパンの間に送信される。例えば、DL割り当てRN#iおよびULグラントRN#xは中継物理ダウンリンクチャネルである。
【００４９】
図５は各P-PDCCHを周波数帯域の１つの部分のみをカバーするように示しているが、例えばダイバーシチを提供するために周波数領域内に分散配置されてもよい。第１の領域内で利用可能なリソースのうち、ダウンリンクに関する情報に用いられていないものがあれば、アップリンクに関する情報も第１の領域で送信してもよい。この構成の利点は、ダウンリンク割り当てがサブフレームの初期にデコードできることで、全体のレイテンシを削減しつつ、時間に関していくぶん厳密さが低いアップリンクグラントをサブフレームの後ろの部分で送信することである。
【００５０】
同一周波数領域に配置されたDL割り当ておよびULグラントは、同一のRNに関するものでも（例えば図５においてi=x）、そうでなくても（i≠x）よい。セル固有のリファレンス信号が復調に用いられる場合、これらの両方が可能であるが、UE固有のリファレンス信号（復調固有リファレンス信号としても知られている）が用いられる場合、割り当て／グラントは同一のRNに関するものでなければならない（すなわち、i=x）。
【００５１】
eNBから送信されるアップリンクグラントの数がダウンリンク割り当ての数より少ない場合、R-PDCCHが占有するリソースブロック内のサブフレームの後ろの部分をどう使用するかという問題が生じる。この状況を図６に示す。ULグラントに使用されないR-PDCCHの後半部分を？で示している。
【００５２】
１つの考えられる方法は、これらのリソースを使用しないままにしておくことである。各グラント／割り当てが少量のリソースしか消費しない、および／またはULグラントの数がDL割り当ての数よりそれほど少なくない限り、この方法による効率の低下は許容範囲である。
【００５３】
別の方法は、これらのリソースを中継ノードへのデータ送信に用いることである。しかし、この方法は、既存のPDSCHと異なる（より短い）タイムスパンを有する新たなデータチャネル「R-PDSCH」の定義を必要とする（タイムスパンは、スケジューリングの決定に応じて、リソースブロック間でさらに異なってもよい）。さらに、現在のLTEでの制御シグナリングフォーマットは、サブフレームの全期間（すなわち、両方のスロット）でデータを送信する前提で規定されているため、（図６で「？」でマークされた）切り詰められた「中継データ領域」にデータをスケジュールするための追加の制御シグナリングフォーマットが必要となる。そのため、追加仕様が必要となり、実装を複雑にする。
【００５４】
本発明の第１の部分は、中継ノード(RN)#iへのDL割り当てに続くリソースブロックを、RN#iへのデータにのみ使用する（そして他のRNやUEへのデータには使用しない）ようにすることを可能にすることである。［リソースブロックは、同一または他のRNへの制御シグナリングには用いることができるが、他のRNへのデータには用いることができない］以下の説明においては、簡単のため、第１の領域（DL割り当て領域）がサブフレームの第１スロットに配置され、第２の領域（ULグラント領域）がサブフレームの第２スロットに配置されているものとするが、方法は、第１および第２の領域の間の他の分割へも容易に一般化できる。
【００５５】
図８は、時間周波数グリッドに従った（eNBによって送信されるべき）サブフレームの構造を示している。サブフレーム１の期間２は１ｍｓの長さを有する。サブフレーム１は時間領域で、スロット境界３によって第１スロット４と第２スロット５に分割される。第１スロット４はUEを制御するために用いられるUE制御部分６と、中継ノードにダウンリンク割り当てを送信するために用いることができる部分７を有する。システム帯域８はいくつかのサブバンドに分割される。部分７の間、第１サブバンド９でRN#i用のDL割り当て１４が送信され、（サブバンド９の）スロット５の間、同じRN#i用のペイロードデータ１５が送信される。第２サブバンド１０では、部分７およびスロット５の間にRN#iへのペイロードデータ１６が送信される。第３サブバンド１１では、部分７の間、RN#j用のDL割り当て１４が送信され、（サブバンド１１の）スロット２の間、同じRN#j用のペイロードデータ１８が送信される。第４サブバンド１１では、部分７およびスロット５の間に、UEへのペイロードデータ１９、例えば物理ダウンリンク共用チャネルが送信される。第５サブバンド１３では、部分７およびスロット５の間にRN#jへのペイロードデータ２０が送信される。
【００５６】
既にDL割り当て１４が送信済みの中継ノードと同じRN#i用のペイロードデータ１５が、同じ第１のサブバンド９で送信されることに留意されたい。すなわち、RN#iへのDL割り当て１４に続くサブバンド９上のスロット５は、同じRN#iへのペイロードデータ用に用いられ、他の中継ノードへのペイロードデータには用いられない。サブバンド９上のスロット５は、任意のRNへのアップリンクグラントのためにも用いられてよい。同じ概念がサブバンド１１にも反映されており、DL割り当て１７がサブバンド１１上の部分７の間に送信済みのRN#jへのペイロードデータ１８のためにサブバンド１１のスロット５が用いられている。
【００５７】
発明の第２の部分は、既存のDCIフォーマットを再利用しながら、RNでの解釈を変更することである。LTEリリース８以降において用いられるダウンリンク割り当て用のDCIフォーマットは、受信機(UE)がeNBからのデータ送信を予期すべきリソースを指定する。リソース表示は周波数領域でどのリソースブロックで受信すべきかを指定し、サブフレーム全体（制御領域を除く）がデータ送信に用いられることが暗に仮定されている。ダウンリンクでスケジュールされているRNは自身がDL割り当てをどのリソースで受信したのかを知っているため、どのリソース上でeNBからのデータを受信すべきかを決定する際に、RNにおいて、デコードされたR-PDCCHによって占有されているリソースを除外することを提案する。これを図９に例示する。RNがリソースブロック４上の第１スロットで送信されるR-PDCCH上でダウンリンクスケジューリング割り当てを検出することおよび、スケジューリング割り当てが、例えば既にLTEリリース８用に指定されているDCIフォーマットの１つを用いて、リソース０，１，４および６上のデータを示していることを仮定する。この場合RNは対応するデータ送信をリソースブロック０，１，および６上の第１スロットおよび０，１，４，および６上の第２スロットで受信しなければならない。すなわち、リソースブロック４（R-PDCCHが検出されたリソースブロック）は第１スロットでのデータ受信から除外される。簡単のため、この例ではR-PDCCHがサブフレームの２つのスロットの境界で終了するものと仮定しているが、方法は２つの「領域」間の任意の分割に対して容易に一般化可能である。同様に、本発明の原理を説明するため、eNBからRNへのリンクに場合によって必要となる任意のガードタイム（例えばeNB-RN送信の冒頭および終りにおける、使用されないOFDMシンボル）は図に記載していないが、容易に含めることができる。
【００５８】
当然ながら、eNBは好ましくは、RNがそのデータを受信しないであろうリソース（上述の例では第１スロットにおけるリソースブロック４）上でRNへのデータを送信しないようにすべきである。これは、LTEにおけるR-PDSCHからREへのマッピングを、スケジュールされたRNへの制御シグナリングに用いられているサブフレームの第１部分におけるREがスキップされるように変更することにより実現できる。送信機の観点からすると、PDSCHに利用可能なREが少数であること（それらの一部がRNへの制御シグナリングに用いられているため）のみが異なり、コーディングおよび変調は同じままである。別の可能性のある方法は、第２のスロットにRB用のデータを別個に符号化することであろう（すなわち、図９において、周波数インデックス０，１，６を有するRB内のビットが、周波数インデックス４を有するRB内のビットとは別に、場合によっては異なる変調およびコーディング手法を用いてコーディングならびに変調される）。
【００５９】
図９は、スロット境界３３によって分割された第１スロット３４および第２スロット３５を有する１つのサブフレーム３１を示している。周波数領域において、リソースは０から９の番号が付されている。各番号は所定のサブバンドを示している。スロット３４はUE制御部分３６と、中継ノードにダウンリンク割り当てを送信するために用いることができる部分３７とを有する。部分３７において、サブバンド４上にはRN#1のためのダウンリンク割り当て４４が送信される。本例において、ダウンリンク割り当て４４は、RN#iへのダウンリンク送信用にリソースブロック０，１，４，および６を示している。中継ノードRN#iはこの表示から、スロット３４の部分３７と、サブバンド０，１，６上のスロット３４において、RN#iへのダウンリンク送信を受信可能であることを知る。さらに、ダウンリンク割り当て４４はリソース４にも示されており、サブバンド４の部分３７において受信されているため、この状況は、RN#iへのダウンリンク送信が、サブバンド４上のスロット３５でも受信されると解釈されるであろう。このようにして、サブバンド４上のスロット３５も、RN#iへのダウンリンク送信に効率的に使用できる。
【００６０】
図１０は一実施形態に従って制御ノードを動作させる方法のフローチャートを示す。当業者は、方法のステップが少なくとも部分的に異なる順序で実行されうることに気づくであろう。ステップＳ１で制御ノードは、後続部分に第２の制御データ（ULグラント）を配置すべきかどうかをチェックする。第２の制御データを後続部分に配置すべきでない場合、ステップＳ２でペイロードデータが後続部分にスケジュールされる。先行部分と後続部分を有するデータフレームが生成される（ステップＳ３）。ここで、先行部分は第１の制御データ（DL割り当て）を有し、後続部分はペイロードデータを有する。生成されたフレームが送信される。
【００６１】
この概念を用いることで、第２の制御データ（ULグランド）を後続部分で送信する必要のない場合、後続部分をペイロードデータの転送に用いることができる。
【００６２】
図１１は一実施形態に係る制御ノード５０を示している。制御ノード５０は、先行部分と後続部分とを有するデータフレームを生成するためのコントローラ５２を有している。スケジューラ５３およびチェッキングエントリ５４から、コントローラは後続部分にペイロードデータと第２の制御データ（ULグラント）のどちらを配置すべきかを知る。先行部分は第１の制御データ（DL割り当て）を有している。先行部分と後続部分とを有する、生成されたデータフレームは送信器５１を通じて送信されるべきである。
【００６３】
図１２は一実施形態に従って受信ノードを動作させる方法のフローチャートを示している。ステップＳ５において、先行部分と後続部分とを有するデータフレームが制御データ（例えば制御ノード５０）から受信される。ステップＳ６において、後続部分が第２の制御データ（ULグラント）を格納しているか、ペイロードデータを含んでいるかが検出される。その後の処理は、検出に依存する（ステップＳ７）。ステップＳ６に従った検出は、例えば以下の手順により実行できる。第１の制御データが受信されるリソースが前記第１の制御データに示されているかどうかを、後続部分が第２の制御データまたはペイロードデータのどちらを含んでいるかのチェック結果に基づいて決定するステップ。第１の制御データが受信されるリソースの表示は、例えば図９のリソース番号４で受信される。このようにして、第２のスロット内のペイロードデータの検出に特に効率的な方法が得られる。
【００６４】
図１３は、データフレームを制御ノード、たとえば制御ノード５０から受信するための受信器６１を有する受信ノード６０を示す図である。受信されるデータフレームは先行部分と後続部分とを有している。先行部分は第１の制御データ（DL割り当て）を有している。検出器／コントローラ６２は第２部分が第２の制御データ（ULグラント）とペイロードデータのどちらを含んでいるのかを検出する。検出器／コントローラ６２はこの検出のために、第１の制御データが受信されるリソースが第１の制御データに示されているかどうかをチェックするためのチェックエンティティ６３と、後続部分が第２の制御データとペイロードデータのどちらを含んでいるかをチェックエンティテイ６３の出力に基づいて決定する決定エンティテイ６４を用いてもよい。
【００６５】
略語
RQ  自動再送要求
CP  巡回プリフィクス
DCI  ダウンリンク制御情報
DL  ダウンリンク
eNB  eNodeB
eNodeB  LTE基地局
E-UTRAN  エヴォルブドUMTS地上無線アクセスネットワーク
FDM  周波数分割多重
3GPP  第３世代パートナシッププロジェクト
L1  レイヤ１
L2  レイヤ２
LTE  ロングタームエボリューション
MBSFN  マルチキャスト同報単一周波数ネットワーク
OFDM  直交周波数分割多重
PDCCH  物理ダウンリンク制御チャネル
PDSCH  物理ダウンリンク共用チャネル
RB  リソースブロック
RE  リソースエレメント
Rel  リリース
R-PDCCH  中継−物理ダウンリンク制御チャネル
R-PDSCH  中継-物理ダウンリンク共用チャネル
TDM  時分割多重
UE  ユーザ機器
UL  アップリンク
UMTS  ユニバーサルモバイル通信システム
【図１】
2013531406.tif 000003
【図２】
2013531406.tif 000004
【図３】
2013531406.tif 000005
【図４】
2013531406.tif 000006
【図５】
2013531406.tif 000007
【図６】
2013531406.tif 000008
【図７】
2013531406.tif 000009
【図８】
2013531406.tif 000010
【図９】
2013531406.tif 000011
【図１０】
2013531406.tif 000012
【図１１】
2013531406.tif 000013
【図１２】
2013531406.tif 000014
【図１３】
2013531406.tif 000015
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
無線通信システム用のノードを動作させる方法であって、
先行部分と後続部分とを有するデータフレームであって、前記先行部分が受信ノードを制御するための第１の制御データを有するデータフレームを生成するステップと、
前記後続部分に第２の制御データを含めるべきかどうかをチェックするステップと、
第２の制御データを前記後続部分に含めるべきでない場合、前記中継ノード用のペイロードデータを前記後続部分にスケジュールするステップと、
前記ペイロードデータが前記後続部分で送信されるべき場合、前記第１の制御データは前記第１の制御データが送信されるべきリソースを示し、
前記中継ノードに前記データフレームを送信するステップと、を有することを特徴とする方法。
【請求項２】
前記第１の制御データがダウンリンク割り当てを有するか、前記第２の制御データがアップリンクグラントを有するかの少なくとも一方であることを特徴とする請求項１に記載の方法。
【請求項３】
前記第１の制御データはペイロードデータが送信されるリソースの表示を有することを特徴とする請求項１または請求項２に記載の方法。
【請求項４】
前記後続部分が前記先行部分よりも高いスループットで送信されることを特徴とする請求項１から請求項３のいずれか１項に記載の方法。
【請求項５】
前記第１の部分と前記第２の部分との境界が可変であることを特徴とする請求項１から請求項４のいずれか１項に記載の方法。
【請求項６】
無線通信システム用の制御ノードであって、
先行部分と後続部分とを有するデータフレームであって、前記先行部分が受信ノードを制御するための第１の制御データを有するデータフレームを生成するコントローラと、
前記後続部分に第２の制御データを含めるべきかどうかをチェックするチェックエンティティと、
第２の制御データを前記後続部分に含めるべきでない場合、前記中継ノード用のペイロードデータを前記後続部分にスケジュールするスケジューラと、
前記ペイロードデータが前記後続部分で送信されるべき場合、前記第１の制御データは前記第１の制御データが送信されるべきリソースを示し、
前記データフレームを前記受信ノードに送信する送信器と、を有することを特徴とする制御ノード。
【請求項７】
前記送信器が、前記後続部分を前記先行部分よりも高いスループットで送信するように構成されることを特徴とする請求項６に記載の制御ノード。
【請求項８】
前記制御ノードが、eNodeB、ピコeNodeB、または中継ノードであることを特徴とする請求項６または請求項７に記載の制御ノード。
【請求項９】
無線通信システム用の中継ノードを動作させる方法であって、
先行部分と後続部分とを有するデータフレームであって、前記先行部分が前記中継ノードを制御するための第１の制御データを有するデータフレームを制御ノードから受信するステップと、
前記第１の制御データが受信されるリソースが、前記第１の制御データによって示されているかどうかをチェックするステップと、
前記リソースが示されていれば、前記後続部分がペイロードデータを含んでいると判定するステップと、
前記後続部分を前記判定に従って処理するステップと、を有することを特徴とする方法。
【請求項１０】
前記第１の制御データが、ペイロードデータが受信される少なくとも１つのリソースを示すことを特徴とする請求項９に記載の方法。
【請求項１１】
ペイロードデータが前記第２の部分で送信されるべき場合、前記第１の制御データは前記第１の制御データが送信されるリソースを示すことを特徴とする請求項９または請求項１０に記載の方法。
【請求項１２】
前記第１の制御データが受信されるリソースが、前記第１の制御データによって示されているかどうかをチェックするステップと、
前記チェックに基づいて、前記後続部分が第２の制御データとペイロードデータのどちらを含んでいるかを決定するステップと、をさらに有することを特徴とする請求項９から請求項１１のいずれか１項に記載の方法。
【請求項１３】
無線通信システム用の中継ノードであって、
先行部分と後続部分とを有するデータフレームであって、前記先行部分が前記中継ノードを制御するための第１の制御データを有するデータフレームを制御ノードから受信する受信器と、
前記第１の制御データが受信されるリソースが、前記第１の制御データによって示されているかどうかをチェックするチェックエンティティと、
前記リソースが示されていれば、前記後続部分がペイロードデータを含んでいると判定する決定エンティティと、
前記後続部分を前記判定に従って処理するプロセッサと、を有することを特徴とする中継ノード。
【請求項１４】
前記第１の制御データが受信されるリソースが、前記第１の制御データによって示されているかどうかをチェックするチェックエンティティと、
前記チェックエンティティの出力に基づいて、前記後続部分が第２の制御データとペイロードデータのどちらを含んでいるかを決定する決定エンティティと、をさらに有することを特徴とする請求項１３に記載の中継ノード。
【国際調査報告】
2013531406.tif 000016
2013531406.tif 000017